(57)【要約】【課題】通信者個人の位置や状態に応じた端末の自動選択および自動切替えを可能とする通信方法、記録媒体および通信装置を提供することを目的とする。【解決手段】ネットワーク上のセンサー装置からのセンサー情報を用いて個人を特定する個人特定ステップと、ネットワーク上の入出力装置の中から特定した個人の使用すべき装置を特定する装置特定ステップと、特定した装置を用いて通信を行う通信ステップとを有する。【選択図】  なし【特許請求の範囲】
【請求項１】
ネットワーク上のセンサー装置からのセンサー情報を用いて個人を特定する個人特定ステップと、ネットワーク上の入出力装置の中から特定した前記個人の使用すべき装置を特定する装置特定ステップと、特定した前記装置を用いて通信を行う通信ステップとを有することを特徴とする通信方法。
【請求項２】
ネットワーク上のセンサー装置からのセンサー情報を用いて個人を特定する個人特定ステップと、特定した前記個人の状態を認識する状態認識ステップと、ネットワーク上の入出力装置の中から前記特定した個人の使用すべき装置を特定する装置特定ステップと、特定した前記装置を用いて通信を行う通信ステップとを有することを特徴とする通信方法。
【請求項３】
ネットワーク上の呼び出し装置に呼び出し要求を出力する呼出要求ステップと、前記ネットワーク上のセンサー装置からのセンサー情報を用いて個人の使用すべき入出力装置を特定する個人特定ステップと、特定した前記入出力装置を用いて通信を行う通信ステップとを有することを特徴とする通信方法。
【請求項４】
前記通信ステップは、通信データが音声データの場合に前記音声データを文書データへ変換する音声文書変換ステップを有することを特徴とする請求項１乃至３のいずれか１に記載の通信方法。
【請求項５】
前記通信ステップは、通信データが文書データの場合に前記文書データを音声データへ変換する文書音声変換ステップを有することを特徴とする請求項１乃至３のいずれか１に記載の通信方法。
【請求項６】
前記装置特定ステップは、個人の使用すべき入出力装置を特定できない場合にネットワーク上のサーバーに特定した前記個人の利用可能な入出力装置情報を問い合わせる外部問い合わせステップを有することを特徴とする請求項１乃至５のいずれか１に記載の通信方法。
【請求項７】
前記個人特定ステップにおいて、ネットワーク上のセンサー装置からのセンサー情報の代わりにネットワーク上のＩＤ読み出し装置からのＩＤ情報を使用して個人を特定することを特徴とする請求項１、２、４、５または６に記載の通信方法。
【請求項８】
請求項１乃至７のいずれか１に記載の通信方法の各ステップを実行するためのプログラムを記録したことを特徴とする記録媒体。
【請求項９】
ネットワーク上のセンサー装置からのセンサー情報を用いて個人を特定する個人特定部と、ネットワーク上の入出力装置の中から特定した前記個人の使用すべき装置を特定する装置特定部と、特定した前記装置を用いて通信を行う通信部とを有することを特徴とする通信装置。
【請求項１０】
ネットワーク上のセンサー装置からのセンサー情報を用いて個人を特定する個人特定部と、特定した前記個人の状態を認識する状態認識部と、ネットワーク上の入出力装置の中から前記特定した個人の使用すべき装置を特定する装置特定部と、特定した前記装置を用いて通信を行う通信部とを有することを特徴とする通信装置。
【請求項１１】
ネットワーク上の呼び出し装置に呼び出し要求を出力する呼出要求部と、前記ネットワーク上のセンサー装置からのセンサー情報を用いて個人の使用すべき入出力装置を特定する個人特定部と、特定した前記入出力装置を用いて通信を行う通信部とを有することを特徴とする通信装置。
【請求項１２】
前記通信部は、通信データが音声データの場合に前記音声データを文書データへ変換する音声文書変換部を有することを特徴とする請求項９乃至１１のいずれか１に記載の通信装置。
【請求項１３】
前記通信部は、通信データが文書データの場合に前記文書データを音声データへ変換する文書音声変換部を有することを特徴とする請求項９乃至１１のいずれか１に記載の通信装置。
【請求項１４】
前記装置特定部は、個人の使用すべき入出力装置を特定できない場合にネットワーク上のサーバーに特定した前記個人の利用可能な入出力装置情報を問い合わせる外部問い合わせ部を有することを特徴とする請求項９乃至１３のいずれか１に記載の通信装置。
【請求項１５】
前記個人特定部は、ネットワーク上のセンサー装置からのセンサー情報の代わりにネットワーク上のＩＤ読み出し装置からのＩＤ情報を使用して個人を特定することを特徴とする請求項９、１０、１２、１３または１４に記載の通信装置。
【発明の詳細な説明】
【０００１】
【発明の属する技術分野】
本発明は、ネットワークに接続された入出力装置を使用して通信を行う通信方法、通信装置および記録媒体に関するものである。
【０００２】
【従来の技術】
従来の電話回線による通信では、複数人で１台の通信装置を共有する場合が多かったが、最近、インターネットプロトコル（以下、「ＩＰ」と記載する）による通信が主流になりつつあり、ＩＰ機器やＩＰネットワークの普及に従い、１人で複数台の通信装置をその時々に応じて使い分ける必要が生じる。
【０００３】
ＩＰを用いた通信としては、ＩＰによる音声通信（以下、「ＶｏＩＰ」と記載する）が注目を集めているが、ここでは、インターネット技術標準化委員会（以下、「ＩＥＴＦ」と記載する）によって標準化されたセッション開始プロトコルＲＦＣ２５４３（以下、「ＳＩＰ」と記載する）に基づくＶｏＩＰを例に、従来の通信方法を説明する。
【０００４】
図８は、従来のＳＩＰに基づくＶｏＩＰ方法を用いた通信システムの一例を示す構成図である。
【０００５】
図８において、８００はｔｅｒｍ１（端末１を意味する）の属するローカルエリアネットワーク（以下、「ＬＡＮ」と記載する）のドメイン（ドメイン名はｍｅｉ．ｃｏ．ｊｐ）、８０１は発信ユーザＡ（発信ユーザ８０２）が使用するＳＩＰ対応のＩＰ電話機（ホスト名はｔｅｒｍ１）、８０３はドメインｍｅｉ．ｃｏ．ｊｐと後述のドメインｈｉ−ｈｏ．ｎｅ．ｊｐとを接続するＩＰ網（以下、「ＷＡＮ」と記載する）、８０４はｔｅｒｍ２の属するＬＡＮのドメイン（ドメイン名ｈｉ−ｈｏ．ｎｅ．ｊｐ）、８０６は着信ユーザＢ（着信ユーザ８０５）が使用するＳＩＰ対応のＩＰ電話機（ホスト名はｔｅｒｍ２）、８０７はドメインｈｉ−ｈｏ．ｎｅ．ｊｐ上のＳＩＰサーバ、８０８はドメインｈｉ−ｈｏ．ｎｅ．ｊｐ上のロケーションサーバである。
【０００６】
以上のように構成された従来のＳＩＰに基づくＶｏＩＰ方法を用いた通信システムについて、その動作を図９のフローチャートを用いて説明する。図９は、ユーザＢ（８０５）が自分のネットワーク上の位置（すなわち使用する端末）を登録する手順を示すフローチャートである。ここで、ユーザＢ（８０５）はｔｅｒｍ２（８０６）を使用するものとする。
【０００７】
図９において、まず、ユーザＢ（８０５）は、任意のＳＩＰに対応した端末から、自分の所属するドメインｈｉ−ｈｏ．ｎｅ．ｊｐ（８０４）上のＳＩＰサーバ８０７に対して、使用端末をｔｅｒｍ２（８０６）とする旨を通知する（Ｓ６１）。通知を受けたＳＩＰサーバ８０７は、ロケーションサーバ８０８に対し、ユーザＢ（８０５）の使用端末をｔｅｒｍ２（８０６）とするように要求する（Ｓ６２）。これにより、ドメインｈｉ−ｈｏ．ｎｅ．ｊｐ（８０４）のユーザＢ（８０５）宛（宛先アドレスはＢ（アットマーク）ｈｉ−ｈｏ．ｎｅ．ｊｐとなる）の着信はすべてｔｅｒｍ２（８０６）に通知されるようになる。ＳＩＰに基づくＶｏＩＰサービスを受けるユーザは、必ずこの位置登録を行っておく必要がある。なお、複数の使用端末を登録することも可能であり、その場合は登録した全ての端末に着信が通知される。
【０００８】
図１０は、ユーザＡ（８０２）がｔｅｒｍ１（８０１）を用いてユーザＢ（８０５）へ通話を行う手順を示すフローチャートである。
【０００９】
図１０において、まず、ユーザＡ（８０２）は、ユーザＢ（８０５）のアドレス（Ｂ（アットマーク）ｈｉ−ｈｏ．ｎｅ．ｊｐ）をｔｅｒｍ１（８０１）に指示する（Ｓ７１）。この際、ユーザＡ（８０２）は、ユーザＢ（８０５）のアドレス（Ｂ（アットマーク）ｈｉ−ｈｏ．ｎｅ．ｊｐ）のみ知っていれば良く、実際にユーザＢ（８０５）がどの端末を使用するかは知る必要がない。ｔｅｒｍ１（８０１）はＷＡＮ（８０３）を介してドメインｈｉ−ｈｏ．ｎｅ．ｊｐ（８０４）にユーザＢ（８０５）への接続要求を発行する（Ｓ７２）。ドメインｈｉ−ｈｏ．ｎｅ．ｊｐ（８０４）上のＳＩＰサーバ８０７は、この接続要求を受け、ロケーションサーバ８０８に対し、ユーザＢ（８０５）の使用端末情報を要求する（Ｓ７３）。ロケーションサーバ８０８には、前述の手順（図９）であらかじめユーザＢ（８０５）の使用端末が登録されており、ＳＩＰサーバ８０７に対して、登録された端末ｔｅｒｍ２（８０６）を通知する（Ｓ７４）。ＳＩＰサーバ８０７は、ｔｅｒｍ２（８０６）に対し接続要求を発行し（Ｓ７５）、ｔｅｒｍ２（８０６）はユーザＢ（８０５）を着信音などで呼び出す（Ｓ７６）。ユーザＢ（８０５）が電話に出ると（Ｓ７７）、ｔｅｒｍ２（８０６）はＳＩＰサーバ８０７に通話可能の応答を返し（Ｓ７８）、さらにＳＩＰサーバ８０７はｔｅｒｍ１（８０１）に通話可能の応答を返す（Ｓ７９）。接続要求メッセージ中にはｔｅｒｍ１（８０１）のＩＰアドレスが、応答メッセージ中にはｔｅｒｍ２（８０６）のＩＰアドレスが含まれており、この時点でｔｅｒｍ１（８０１）は直接ｔｅｒｍ２（８０６）と通信が可能となる。通話中の音声データは、ＩＥＴＦによって標準化されたリアルタイム転送プロトコルＲＦＣ１８８９（以下、「ＲＴＰ」と記載する）を用いてｔｅｒｍ１（８０１）とｔｅｒｍ２（８０６）との間で直接やり取りされる（Ｓ８０）。最後に、ユーザＢ（８０５）が受話器を置くなどして通話を終了しようとすると（Ｓ８１）、ｔｅｒｍ２（８０６）はｔｅｒｍ１（８０１）に対し通話切断を要求する（Ｓ８２）。これを受けｔｅｒｍ１（８０１）はユーザＡ（８０２）に通話が切断されたことを知らせると共に、ｔｅｒｍ２（８０６）に対して通話切断完了を通知し（Ｓ８３）、通話が終了する。
【００１０】
【特許文献１】
特開平１１−４６２１５号公報
【００１１】
【発明が解決しようとする課題】
しかしながら、上記従来の通信方法では、受信者が使用する端末をあらかじめ登録する必要があるため、頻繁に使用する端末が変わると、登録の変更が煩雑になり、登録を怠ると着信できないという問題点を有していた。仮に使用の可能性のある複数の端末を登録した場合、登録した全ての端末へ着信要求が発生するため、複数人で共有される端末においては、別のユーザが誤って電話に出てしまうという問題点も発生する。また、上記従来の通信方法では、一度通話が始まると通話終了まで同一端末が使用されるため、通話中に端末を切り替えて使用するという用途に適用できないという問題点を有していた。
【００１２】
この通信方法、通信装置および記録媒体では、通信者個人の位置や状態に応じた端末の自動選択および自動切替えを可能とすることが要求されている。
【００１３】
本発明は、この要求を満たすため、通信者個人の位置や状態に応じた端末の自動選択および自動切替えを可能とする通信方法、および、その通信方法を実行するための記録媒体、ならびに、通信者個人の位置や状態に応じた端末の自動選択および自動切替えを可能とする通信装置を提供することを目的とする。
【００１４】
【課題を解決するための手段】
上記課題を解決するために本発明の通信方法は、ネットワーク上のセンサー装置からのセンサー情報を用いて個人を特定する個人特定ステップと、ネットワーク上の入出力装置の中から特定した個人の使用すべき装置を特定する装置特定ステップと、特定した装置を用いて通信を行う通信ステップとを有する構成を備えている。
【００１５】
これにより、通信者個人の位置に応じた端末の自動選択および自動切替えを可能とする通信方法が得られる。
【００１６】
上記課題を解決するために本発明の記録媒体は、上記通信方法の各ステップを実行するためのプログラムを記録した構成を備えている。
【００１７】
これにより、上記通信方法を実行するための記録媒体が得られる。
【００１８】
上記課題を解決するために本発明の通信装置は、ネットワーク上のセンサー装置からのセンサー情報を用いて個人を特定する個人特定部と、ネットワーク上の入出力装置の中から特定した個人の使用すべき装置を特定する装置特定部と、特定した装置を用いて通信を行う通信部とを有する構成を備えている。
【００１９】
これにより、通信者個人の位置に応じた端末の自動選択および自動切替えを可能とする通信装置が得られる。
【００２０】
【発明の実施の形態】
本発明の請求項１に記載の通信方法は、ネットワーク上のセンサー装置からのセンサー情報を用いて個人を特定する個人特定ステップと、ネットワーク上の入出力装置の中から特定した個人の使用すべき装置を特定する装置特定ステップと、特定した装置を用いて通信を行う通信ステップとを有することとしたものである。
【００２１】
この構成により、ネットワーク上の入出力装置の中から特定した個人の使用すべき装置を特定するようにしたので、通信者個人の位置に応じて自動的に選択された個人に最適な入出力装置を利用した通信を可能にするという作用を有する。
【００２２】
請求項２に記載の通信方法は、ネットワーク上のセンサー装置からのセンサー情報を用いて個人を特定する個人特定ステップと、特定した個人の状態を認識する状態認識ステップと、ネットワーク上の入出力装置の中から特定した個人の使用すべき装置を特定する装置特定ステップと、特定した装置を用いて通信を行う通信ステップとを有することとしたものである。
【００２３】
この構成により、特定した個人の状態を認識し、ネットワーク上の入出力装置の中から特定した個人の使用すべき装置を特定するようにしたので、個人の位置と状態に応じて自動的に選択された個人に最適な入出力装置を利用した通信を可能にするという作用を有する。
【００２４】
請求項３に記載の通信方法は、ネットワーク上の呼び出し装置に呼び出し要求を出力する呼出要求ステップと、ネットワーク上のセンサー装置からのセンサー情報を用いて個人の使用すべき入出力装置を特定する個人特定ステップと、特定した入出力装置を用いて通信を行う通信ステップとを有することとしたものである。
【００２５】
この構成により、ネットワーク上の呼び出し装置に呼び出し要求を出力するようにしたので、未知のユーザに対する着信に対しても個人の位置に応じて自動的に選択された個人に最適な入出力装置を利用した通信を可能にするという作用を有する。
【００２６】
請求項４に記載の通信方法は、請求項１乃至３のいずれか１に記載の通信方法において、通信ステップは、通信データが音声データの場合に音声データを文書データへ変換する音声文書変換ステップを有することとしたものである。
【００２７】
この構成により、個人の位置や状態を考慮すると音声よりも文書による通信が望ましい場合においても、自動的に最適な入出力装置を利用した通信を可能にするという作用を有する。
【００２８】
請求項５に記載の通信方法は、請求項１乃至３のいずれか１に記載の通信方法において、通信ステップは、通信データが文書データの場合に文書データを音声データへ変換する文書音声変換ステップを有することとしたものである。
【００２９】
この構成により、個人の位置や状態を考慮すると文書よりも音声による通信が望ましい場合においても、自動的に最適な入出力装置を利用した通信を可能にするという作用を有する。
【００３０】
請求項６に記載の通信方法は、請求項１乃至５のいずれか１に記載の通信方法において、装置特定ステップは、個人の使用すべき入出力装置を特定できない場合にネットワーク上のサーバに特定した個人の利用可能な入出力装置情報を問い合わせる外部問い合わせステップを有することとしたものである。
【００３１】
この構成により、ユーザが自ネットワーク以外に移動した場合においても、個人に最適な入出力装置を利用した通信を可能にするという作用を有する。
【００３２】
請求項７に記載の通信方法は、請求項１、２、４、５または６に記載の通信方法において、個人特定ステップにおいて、ネットワーク上のセンサー装置からのセンサー情報の代わりにネットワーク上のＩＤ読み出し装置からのＩＤ情報を使用して個人を特定することとしたものである。
【００３３】
この構成により、より確実に個人を特定した上で個人に最適な入出力装置を利用した通信を可能にするという作用を有する。
【００３４】
請求項８に記載の記録媒体は、請求項１乃至７のいずれか１に記載の通信方法の各ステップを実行するためのプログラムを記録することとしたものである。
【００３５】
この構成により、ネットワークに接続されたコンピュータ上で記録媒体に格納されたプログラムを実行することで個人に最適な入出力装置を利用した通信を可能にするという作用を有する。
【００３６】
請求項９に記載の通信装置は、ネットワーク上のセンサー装置からのセンサー情報を用いて個人を特定する個人特定部と、ネットワーク上の入出力装置の中から特定した個人の使用すべき装置を特定する装置特定部と、特定した装置を用いて通信を行う通信部とを有することとしたものである。
【００３７】
この構成により、ネットワーク上の入出力装置の中から特定した個人の使用すべき装置を特定するようにしたので、通信者個人の位置に応じて自動的に選択された個人に最適な入出力装置を利用した通信を可能にするという作用を有する。
【００３８】
請求項１０に記載の通信装置は、ネットワーク上のセンサー装置からのセンサー情報を用いて個人を特定する個人特定部と、特定した個人の状態を認識する状態認識部と、ネットワーク上の入出力装置の中から特定した個人の使用すべき装置を特定する装置特定部と、特定した装置を用いて通信を行う通信部とを有することとしたものである。
【００３９】
この構成により、特定した個人の状態を認識し、ネットワーク上の入出力装置の中から特定した個人の使用すべき装置を特定するようにしたので、個人の位置と状態に応じて自動的に選択された個人に最適な入出力装置を利用した通信を可能にするという作用を有する。
【００４０】
請求項１１に記載の通信装置は、ネットワーク上の呼び出し装置に呼び出し要求を出力する呼出要求部と、ネットワーク上のセンサー装置からのセンサー情報を用いて個人の使用すべき入出力装置を特定する個人特定部と、特定した入出力装置を用いて通信を行う通信部とを有することとしたものである。
【００４１】
この構成により、ネットワーク上の呼び出し装置に呼び出し要求を出力するようにしたので、未知のユーザに対する着信に対しても個人の位置に応じて自動的に選択された個人に最適な入出力装置を利用した通信を可能にするという作用を有する。
【００４２】
請求項１２に記載の通信装置は、請求項９乃至１１のいずれか１に記載の通信装置において、通信部は、通信データが音声データの場合に音声データを文書データへ変換する音声文書変換部を有することとしたものである。
【００４３】
この構成により、個人の位置や状態を考慮すると音声よりも文書による通信が望ましい場合においても、自動的に最適な入出力装置を利用した通信を可能にするという作用を有する。
【００４４】
請求項１３に記載の通信装置は、請求項９乃至１１のいずれか１に記載の通信装置において、通信部は、通信データが文書データの場合に文書データを音声データへ変換する文書音声変換部を有することとしたものである。
【００４５】
この構成により、個人の位置や状態を考慮すると文書よりも音声による通信が望ましい場合においても、自動的に最適な入出力装置を利用した通信を可能にするという作用を有する。
【００４６】
請求項１４に記載の通信装置は、請求項９乃至１３のいずれか１に記載の通信装置において、装置特定部は、個人の使用すべき入出力装置を特定できない場合にネットワーク上のサーバーに特定した個人の利用可能な入出力装置情報を問い合わせる外部問い合わせ部を有することとしたものである。
【００４７】
この構成により、ユーザが自ネットワーク以外に移動した場合においても、個人に最適な入出力装置を利用した通信を可能にするという作用を有する。
【００４８】
請求項１５に記載の通信装置は、請求項９、１０、１２、１３または１４に記載の通信装置において、個人特定部は、ネットワーク上のセンサー装置からのセンサー情報の代わりにネットワーク上のＩＤ読み出し装置からのＩＤ情報を使用して個人を特定することとしたものである。
【００４９】
この構成により、より確実に個人を特定した上で個人に最適な入出力装置を利用した通信を可能にするという作用を有する。
【００５０】
以下、本発明の実施の形態について、図１〜図７を用いて説明する。
【００５１】
（実施の形態１）
図１は、本発明の実施の形態１による通信装置を示すブロック図である。
【００５２】
図１において、１は通信装置、１００はネットワーク上のセンサー装置（例えば後述する図２のカメラ）からのセンサー情報を用いて個人を特定する個人特定部、１０８は特定した個人の状態を認識する状態認識部、１０９はネットワーク上の入出力装置の中から個人の使用すべき装置を特定する装置特定部、１１３は装置特定部１０９で特定された装置を用いて通信を行う通信部、１１７は音声データと文書データの相互変換を行う音声文書変換部または文書音声変換部としての音声／文書変換部、１１８は本装置１外の装置の位置管理サーバ（例えば後述する図２のサーバ）に対して入出力装置の位置情報を問い合わせる外部問合部、１１９はＷＡＮ、１２０はＬＡＮである。特定部個人特定部１００は、画像入力部１０１、顔画像抽出部１０２、特徴点抽出部１０３、補正部１０４、基準顔モデル部１０５、判定部１０６および個人データベース１０７によって構成される。ここで、画像入力部１０１、特徴点抽出部１０３、補正部１０４、基準顔モデル部１０５、判定部１０６および個人データベース１０７は個人識別装置（例えば特開平６−１６８３１７号公報に記載）を構成する。また、装置特定部１０９は、特定部１１０、装置データベース部１１１およびメモリ部１１２によって構成され、通信部１１３は、ルーティング部１１４、ＳＩＰ部１１５、ＲＴＰ部１１６によって構成される。通信装置１は、ユーザの使用する入出力装置が接続されたＬＡＮ１２０と、通信の相手ユーザが接続するＷＡＮ１１９との間に接続される。
【００５３】
図２は、図１の通信装置１を適用した通信システムを示す構成図である。
【００５４】
図２において、３０５は図１の通信装置１であり、通信相手のユーザＡ（３０２）の使用するＳＩＰに対応したＩＰ電話機３０１とはＷＡＮ３０３を介して接続される。３００はＩＰ電話機３０１の属するドメインである。３０４は通信装置３０５が属するドメインであり、ユーザＢ（３１４）、ユーザＣ（３１９）、ユーザＤ（３２１）が生活する宅内のネットワークに対応する。ドメイン３０４内では、ＬＡＮ３０６により、リビング３０７の入出力装置（カメラ３０８、ディスプレイ３０９、マイク３１０、スピーカ３１１、マイク３１２、スピーカ３１３）および子供部屋３１５の入出力装置（カメラ３１６、マイク３１７、スピーカ３１８）と通信装置３０５とが接続されている。各入出力装置はＲＴＰによって通信装置３０５と通信が可能であり、特に入力装置は、家庭内（宅内）の状況を一定時間ごとに通信装置３０５に配信するものとする。ユーザＢ（３１４）はリビング３０７に、ユーザＣ（３１９）は子供部屋３１５に在室しているが、ユーザＤ（３２１）はドメイン３０４の範囲外に外出しており、音声入出力が可能な携帯端末３２０を保有している。携帯端末３２０はサーバ３２２によって位置管理されており、ＷＡＮ３０３を介したＳＩＰ対応のＩＰ電話が可能である。
【００５５】
以上のように構成された通信装置３０５について、その動作を図３のフローチャートを用いて説明する。個人の使用する装置は、個人特定部１００、状態認識部１０８、装置特定部１０９によって特定される。図３は、個人の使用する装置が特定されるまでの動作を示すフローチャートである。
【００５６】
図３において、まず、ドメイン３０４内の各カメラから配信された画像ストリームはＲＴＰ部１１６で受信され、画像入力部１０１に送られる（Ｓ１）。画像入力部１０１では、入力データが圧縮されていた場合、デコード処理などを施し、画像を取得する（Ｓ２）。顔画像抽出部１０２では、取得した画像中から肌色領域を抽出し、それを顔画像の候補とする（Ｓ３）。抽出された領域で未処理のものがあれば（Ｓ４のＹＥＳ）、特徴点抽出部１０３にてエッジ抽出、２値化などを施し、顔画像としての特徴点（輪郭の形、目・鼻・口の大きさと位置など）を抽出する（Ｓ５）。基準顔モデル部１０５には、正面を向いた標準的な顔の特徴点が格納されており、これを用いて補正部１０４では抽出した特徴点を正面を向いた特徴点に変換する（Ｓ６）。個人データベース部１０７には、ドメイン３０４を通常使用するユーザの顔画像の特徴点が格納されており、各ユーザの特徴点が判定部１０６によって順次読み出される（Ｓ７、Ｓ８のＹＥＳ）。判定部１０６では、変換された特徴点と個人データベース部１０７内の特徴点との距離について全ての特徴点についてその総和をとり（Ｓ９）、総和が閾値以下の場合、処理中の画像を配信したカメラにより判定部１０６に入力された特徴点を持つユーザが認識できたと判定する（Ｓ１０のＹＥＳ）。総和が閾値より大きい場合（Ｓ１０のＮＯ）、個人データベース部１０７内の次のユーザの特徴点を用いて判定を行う（Ｓ１６）。個人データベース部１０７に登録された全てのユーザについて判定を行った結果、一致するユーザが見つからない場合（Ｓ８のＮＯ）、次の肌色領域について（Ｓ１５）同様の処理を繰り返す。
【００５７】
図５は、ステップＳ１〜Ｓ１５の処理を視覚的に表現した説明図である。図５において、４００はカメラ３０８の画像、４０１は画像４００の肌色領域、４０２はその特徴点、４０３は基準顔モデル部１０５の基準顔モデルの特徴点、４０４は肌色領域４０１を回転補正した肌色領域４０５の特徴点、４０６は個人データベース部１０７に格納されたユーザＢ、Ｃ、Ｄの特徴点を示す個人データベース、４０７は判定部１０６における判定、４０８は認識結果である。
【００５８】
次に、状態認識部１０８は、入力画像内の顔と判定された肌色領域を、補正部１０４で使用した補正パラメータで変形した場合の面積から、カメラと顔の距離を求める（Ｓ１１）。
【００５９】
装置データベース部１１１にはドメイン３０４内の入出力装置の位置情報が例えば（表１）のように格納されており、ユーザが認識されると、特定部１１０では、認識に使用したカメラと状態認識部１０８で求めた距離とから、顔に最も近い位置に配置された入出力装置を装置データベース部１１１から検索し（Ｓ１２）、検索された装置をそのユーザの使用する入出力装置と特定し、例えば（表２）の形式でメモリ１１２に格納する（Ｓ１３）。
【００６０】
【表１】
2004235950.tif 000002
【００６１】
【表２】
2004235950.tif 000003
【００６２】
その後、次の肌色領域について同様の処理を繰り返す。全ての肌色領域の処理が終了すると（Ｓ４のＮＯ）、入力された画像に対する装置特定は終了する。以上の一連の処理は、各カメラから画像が配信される毎に実行される。ここまでの処理により、図２の適用例においては、（表２）のような使用装置が特定される。この時点で、ユーザＣ（３１９）の使用できる画像出力装置はなく、ユーザＤ（３２１）については、個人特定部１００によってユーザが検出されていない。
【００６３】
通信部１１３では、通信処理を行う。図４は、通信開始が要求されてから通話が切断されるまでの動作を示すフローチャートである。この場合、ドメイン３００内のユーザＡ（３０２）がＩＰ電話機３０１を用いて、ドメイン３０４内のユーザＢ（３１４）に電話をかける場合を例に説明する。
【００６４】
図４において、まずＩＰ電話機３０１は、ドメイン３０４のユーザＢ（３１４）宛にＳＩＰによって接続要求を出す。ＳＩＰ部１１５では、従来のＳＩＰの手順により相手側とＲＴＰ部１１６との間で通話リンクを確立する（Ｓ２１）。ＲＴＰ部１１６は、メモリ部１１２より、通信内容に応じた（本例では音声通信）ユーザＢの使用装置情報（本例では音声入力装置としてマイク３１０、音声出力装置としてスピーカ３１１）を読み出し（Ｓ２２）、ユーザが個人特定部１００で検出され（Ｓ２３のＹＥＳ）かつ使用装置が登録されていれば（Ｓ２５のＹＥＳ）、使用する入出力装置とＲＴＰ部１１６との間でリンクが確立されているかを確認する（Ｓ２７）。確立されていない場合（Ｓ２７のＮＯ）は、使用する入出力装置とＲＴＰ部１１６との間でＲＴＰのリンクを確立する（Ｓ２８）。その後、相手側または入出力装置からデータが入力されると（Ｓ２９）、入力データが宛先の装置で受信可能なデータ形式であるかを確認後（Ｓ３０のＹＥＳ）、宛先が自ドメインのユーザ（本例ではユーザＢ）であれば（Ｓ３２のＹＥＳ）、使用装置（本例ではスピーカ３１１）へ相手側からの音声データを転送する（Ｓ３３）。使用装置（本例ではマイク３１０）から通話データ入力があった場合（Ｓ３２のＮＯ）、相手側のＩＰ電話機３０１へ使用装置からの音声データを転送する（Ｓ３４）。相手側から終話要求があれば（Ｓ３５のＹＥＳ）、相手側に通話切断完了を通知するとともに使用装置とのリンクも切断し（Ｓ３６）、通話処理を完了する。終話要求がない限り（Ｓ３５のＮＯ）、使用装置情報読み出し（Ｓ２２）からの処理を繰り返す。ルーティング部１１４では到来したデータを宛先が存在するネットワーク（ＷＡＮまたはＬＡＮ）へ転送する従来のルータの働きをする。
【００６５】
もし、外出中で個人特定できないユーザＤ（３２１）に着信があった場合、ステップＳ２３でＮＯが選択され、外部問合部１１８が、外部サーバ３２２へユーザＤの使用可能な装置情報を問い合わせる（Ｓ２４）。サーバ３２２は、例えばユーザＤ（３２１）が所有する無線携帯端末３２２を収容する通信事業者によって運用される端末位置管理サーバである。サーバ３２２からは携帯端末３２０が使用可能端末という情報が得られ、以後はドメイン内のユーザと同様に通信が可能となる。
【００６６】
また、使用可能なディスプレイが特定できないユーザＣ（３１９）に関して、電子メールのような文書通信が発生した場合、ステップＳ２５においてＮＯが選択される。文書データは、音声／文書変換部１１７にて音声データと相互変換が可能であるため、ユーザＣの使用する入出力装置としてマイク３１７とスピーカ３１８が選択される（Ｓ２６）。ユーザＣ宛に文書データが入力されると、Ｓ３０ではＮＯが選択され、音声／文書変換部１１７にて文書データが音声データに変換される（Ｓ３１）。ユーザＣからの音声データが入力され場合は、同様にステップＳ３０でＮＯが選択され、音声データが文書データに変換される（Ｓ３１）。
【００６７】
なお、以上の説明では、センサー装置としてのカメラからセンサー情報としての画像を入力し、顔画像識別技術で個人特定部１００を構成したが、本発明はこれに限らず、マイクから音声を入力し話者特定技術（例えば特開２０００−８９７９４号公報に記載）で個人特定部を構成しても同様に実施可能である。また、個人特定部を設けず、ネットワークに接続されたＩＤカードリーダ、無線ＩＤタグリーダ、指紋認証装置などの個人を特定するＩＤ情報読み出し装置からの情報を直接に装置特定部１０９に入力する構成においても同様に実施可能である。さらに、以上の説明ではあらかじめ装置の位置情報を格納した装置データベース部１１１を用いて装置特定部１０９を構成したが、各装置がＧＰＳを搭載し、自装置の位置情報を本通信装置３０５（１）に配信することで各装置の位置情報を構成しても同様に実施可能である。さらに、以上の説明では、外部ドメイン３００と自ドメイン３０４との通信について述べたが、自ドメイン内で受発信する内部通信も同様に実施可能である。
【００６８】
以上のように本実施の形態によれば、ネットワーク上のセンサー装置からのセンサー情報を用いて個人を特定する個人特定部１００と、ネットワーク上の入出力装置の中から特定した個人の使用すべき装置を特定する装置特定部１０９と、特定した装置を用いて通信を行う通信部１１３とを有することにより、ネットワーク上の入出力装置の中から特定した個人の使用すべき装置を特定するようにしたので、通信者個人の位置に応じて自動的に選択された個人に最適な入出力装置を利用した通信を可能にする。
【００６９】
また、ネットワーク上のセンサー装置からのセンサー情報を用いて個人を特定する個人特定部１００と、特定した個人の状態を認識する状態認識部１０８と、ネットワーク上の入出力装置の中から特定した個人の使用すべき装置を特定する装置特定部１０９と、特定した装置を用いて通信を行う通信部１１３とを有することにより、特定した個人の状態を認識し、ネットワーク上の入出力装置の中から特定した個人の使用すべき装置を特定するようにしたので、個人の位置と状態に応じて自動的に選択された個人に最適な入出力装置を利用した通信を可能にする。
【００７０】
さらに、通信部１１３は、通信データが音声データの場合に音声データを文書データへ変換する音声文書変換部としての音声／文書変換部１１７を有することにより、個人の位置や状態を考慮すると音声よりも文書による通信が望ましい場合においても、自動的に最適な入出力装置を利用した通信を可能にする。
【００７１】
さらに、通信部１１３は、通信データが文書データの場合に文書データを音声データへ変換する文書音声変換部としての音声／文書変換部１１７を有することにより、個人の位置や状態を考慮すると文書よりも音声による通信が望ましい場合においても、自動的に最適な入出力装置を利用した通信を可能にする。
【００７２】
さらに、装置特定部１０９は、個人の使用すべき入出力装置を特定できない場合にネットワーク上のサーバーに特定した個人の利用可能な入出力装置情報を問い合わせる外部問合部１１８を有することにより、ユーザが自ネットワーク以外に移動した場合においても、個人に最適な入出力装置を利用した通信を可能にする。
【００７３】
さらに、個人特定部１００は、ネットワーク上のセンサー装置からのセンサー情報の代わりにネットワーク上のＩＤ読み出し装置からのＩＤ情報を使用して個人を特定することにより、より確実に個人を特定した上で個人に最適な入出力装置を利用した通信を可能にする。
【００７４】
さらに、図３、図４の通信方法の各ステップを実行するためのプログラムを記録した場合、ネットワークに接続されたコンピュータ上で記録媒体に格納されたプログラムを実行することで、個人に最適な入出力装置を利用した通信を可能にする。
【００７５】
（実施の形態２）
図６は、本発明の実施の形態２による通信装置を示すブロック図である。
【００７６】
図６において、１Ａは通信装置、６００はネットワーク上の呼び出し装置（例えばスピーカ）に呼び出し信号（例えば呼び出し音声信号）を出力する呼出要求部、６０１はネットワーク上の入出力装置の中から個人の使用すべき装置を特定する装置特定部、６０６は装置特定部６０１で特定された装置を用いて通信を行う通信部、６１０はＷＡＮ、６１１はＬＡＮである。装置特定部６０１は、通話音声レベル比較部６０２、特定部６０３、装置データベース部６０４およびメモリ部６０５によって構成され、通信部６０６は、ルーティング部６０７、ＳＩＰ部６０９およびＲＴＰ部６０８によって構成される。通信装置１Ａは、ユーザの使用する入出力装置が接続されたＬＡＮ６１１と、通信の相手ユーザが接続するＷＡＮ６１０との間に接続される。
【００７７】
実施の形態１と同様に図２を通信装置１Ａの適用例とし、通信装置１Ａの動作を図７を用いて説明する。図７は、図６の通信装置１Ａの動作を示すフローチャートである。ここでは、ドメイン３００内のユーザＡ（３０２）がＩＰ電話機３０１を用いて、ドメイン３０４内のユーザＢ（３１４）に電話をかける場合を例に説明する。
【００７８】
図７において、まずＩＰ電話機３０１は、ドメイン３０４のユーザＢ（３１４）宛にＳＩＰによって接続要求を出す。ＳＩＰ部６０９では、従来のＳＩＰの手順により相手側とＲＴＰ部６０８との間で通話リンクを確立する（Ｓ４１）。その後、呼出要求部６００は、ＬＡＮ６１１上の全呼び出し装置（スピーカ３１１、スピーカ３１３、スピーカ３１８）にユーザＢを呼び出す音声（例えば「Ｂさんお電話です」など）を出力する（Ｓ４２）。全ての音声入力装置（マイク３１０、マイク３１２、マイク３１７）は、ＲＴＰ部６０８に音声データを配信しており、ユーザＢ（３１４）が呼び出しに答えた音声がＲＴＰ部６０８で受信される（Ｓ４３）。装置特定部６０１では、受信した音声データからユーザＢ（３１４）の使用すべき入出力装置を特定する。まず、通話音声レベル比較部６０２では最も入力音量の大きい音声入力装置（本実施の形態ではマイク３１０）を選択し、特定部６０３ではマイク３１０と近い位置に配置された入出力装置を装置データベース部６０４から検索し、検索された装置をそのユーザＢの使用する入出力装置と特定し、結果をメモリ部６０５に格納する（Ｓ４４）。ＲＴＰ部６０８は、メモリ部６０５より、通信内容に応じたユーザＢの使用装置情報（音声入力装置としてマイク３１０、音声出力装置としてスピーカ３１１）を読み出し（Ｓ４５）、読み出した入出力装置とＲＴＰ部６０８との間でリンクが確立されていない場合（Ｓ４６のＮＯ）、読み出した入出力装置とＲＴＰ部６０８との間でＲＴＰのリンクを確立する（Ｓ４７）。その後、相手側または入出力装置からのデータ入力を待って（Ｓ４８）、相手側から通話データ入力があった場合（Ｓ４９のＹＥＳ）、使用装置（本実施の形態ではスピーカ３１１）へ相手側からの音声データを転送する（Ｓ５０）。使用装置（本実施の形態ではマイク３１０）から通話データ入力があった場合（Ｓ４９のＮＯ）、相手側のＩＰ電話機３０１へ使用装置からの音声データを転送する（Ｓ５１）。また、各音声入力装置からの音声データも同時に入力し、ステップＳ４３、ステップＳ４４の手順で使用すべき装置の更新も行う（Ｓ５２、Ｓ５３）。相手側から終話要求があれば（Ｓ５４のＹＥＳ）、相手側に通話切断完了を通知するとともに使用装置とのリンクも切断し（Ｓ５５）、通話処理を完了する。終話要求がない限り（Ｓ５４のＮＯ）、使用装置情報読み出し（Ｓ４５）からの処理を繰り返す。ルーティング部６０７では到来したデータを宛先が存在するネットワーク（ＷＡＮまたはＬＡＮ）へ転送する従来のルータの働きをする。
【００７９】
また、上述した各ステップの全部又は一部をコンピュータに実現させるためのプログラムを作成し、それを記録した記録媒体を作成して、コンピュータを用いて上記動作を実現することもできる。
【００８０】
なお、図６では、図１の音声／文書変換部１１７、外部問合部１１８は記載しなかったが、本発明はこれに限らず、これらの機能を追加した構成としてもよい。また、ネットワークに接続されたＩＤカードリーダ、無線ＩＤタグリーダ、指紋認証装置などの個人を特定するＩＤ情報読み出し装置からの情報を直接に装置特定部６０１に入力する構成としてもよい。
【００８１】
以上のように本実施の形態によれば、ネットワーク上の呼び出し装置に呼び出し要求を出力する呼出要求部６００と、ネットワーク上のセンサー装置からのセンサー情報を用いて個人の使用すべき入出力装置を特定する装置特定部６０１と、特定した入出力装置を用いて通信を行う通信部６０６とを有することにより、ネットワーク上の呼び出し装置に呼び出し要求を出力するようにしたので、未知のユーザに対する着信に対しても個人の位置に応じて自動的に選択された個人に最適な入出力装置を利用した通信を可能にする。
【００８２】
また、通信部６０６は、通信データが音声データの場合に音声データを文書データへ変換する音声文書変換部を有することにより、個人の位置や状態を考慮すると音声よりも文書による通信が望ましい場合においても、自動的に最適な入出力装置を利用した通信を可能にする。
【００８３】
さらに、通信部６０６は、通信データが文書データの場合に文書データを音声データへ変換する文書音声変換部を有することにより、個人の位置や状態を考慮すると文書よりも音声による通信が望ましい場合においても、自動的に最適な入出力装置を利用した通信を可能にする。
【００８４】
さらに、装置特定部６０１は、個人の使用すべき入出力装置を特定できない場合にネットワーク上のサーバーに特定した個人の利用可能な入出力装置情報を問い合わせる外部問い合わせ部を有することにより、ユーザが自ネットワーク以外に移動した場合においても、個人に最適な入出力装置を利用した通信を可能にする。
【００８５】
さらに、図７の通信方法の各ステップを実行するためのプログラムを記録媒体に記録した場合、ネットワークに接続されたコンピュータ上で記録媒体に格納されたプログラムを実行することで、個人に最適な入出力装置を利用した通信を可能にする。
【００８６】
【発明の効果】
以上説明したように本発明の請求項１に記載の通信方法によれば、ネットワーク上のセンサー装置からのセンサー情報を用いて個人を特定する個人特定ステップと、ネットワーク上の入出力装置の中から特定した個人の使用すべき装置を特定する装置特定ステップと、特定した装置を用いて通信を行う通信ステップとを有することにより、ネットワーク上の入出力装置の中から特定した個人の使用すべき装置を特定するようにしたので、通信者個人の位置に応じて自動的に選択された個人に最適な入出力装置を利用した通信を可能にするという有利な効果が得られる。
【００８７】
請求項２に記載の通信方法によれば、ネットワーク上のセンサー装置からのセンサー情報を用いて個人を特定する個人特定ステップと、特定した個人の状態を認識する状態認識ステップと、ネットワーク上の入出力装置の中から特定した個人の使用すべき装置を特定する装置特定ステップと、特定した装置を用いて通信を行う通信ステップとを有することにより、特定した個人の状態を認識し、ネットワーク上の入出力装置の中から特定した個人の使用すべき装置を特定するようにしたので、個人の位置と状態に応じて自動的に選択された個人に最適な入出力装置を利用した通信を可能にするという有利な効果が得られる。
【００８８】
請求項３に記載の通信方法によれば、ネットワーク上の呼び出し装置に呼び出し要求を出力する呼出要求ステップと、ネットワーク上のセンサー装置からのセンサー情報を用いて個人の使用すべき入出力装置を特定する個人特定ステップと、特定した入出力装置を用いて通信を行う通信ステップとを有することにより、ネットワーク上の呼び出し装置に呼び出し要求を出力するようにしたので、未知のユーザに対する着信に対しても個人の位置に応じて自動的に選択された個人に最適な入出力装置を利用した通信を可能にするという有利な効果が得られる。
【００８９】
請求項４に記載の通信方法によれば、請求項１乃至３のいずれか１に記載の通信方法において、通信ステップは、通信データが音声データの場合に音声データを文書データへ変換する音声文書変換ステップを有することにより、個人の位置や状態を考慮すると音声よりも文書による通信が望ましい場合においても、自動的に最適な入出力装置を利用した通信を可能にするという有利な効果が得られる。
【００９０】
請求項５に記載の通信方法によれば、請求項１乃至３のいずれか１に記載の通信方法において、通信ステップは、通信データが文書データの場合に文書データを音声データへ変換する文書音声変換ステップを有することにより、個人の位置や状態を考慮すると文書よりも音声による通信が望ましい場合においても、自動的に最適な入出力装置を利用した通信を可能にするという有利な効果が得られる。
【００９１】
請求項６に記載の通信方法によれば、請求項１乃至５のいずれか１に記載の通信方法において、装置特定ステップは、個人の使用すべき入出力装置を特定できない場合にネットワーク上のサーバに特定した個人の利用可能な入出力装置情報を問い合わせる外部問い合わせステップを有することにより、ユーザが自ネットワーク以外に移動した場合においても、個人に最適な入出力装置を利用した通信を可能にするという有利な効果が得られる。
【００９２】
請求項７に記載の通信方法によれば、請求項１、２、４、５または６に記載の通信方法において、個人特定ステップにおいて、ネットワーク上のセンサー装置からのセンサー情報の代わりにネットワーク上のＩＤ読み出し装置からのＩＤ情報を使用して個人を特定することにより、より確実に個人を特定した上で個人に最適な入出力装置を利用した通信を可能にするという有利な効果が得られる。
【００９３】
請求項８に記載の記録媒体によれば、請求項１乃至７のいずれか１に記載の通信方法の各ステップを実行するためのプログラムを記録することにより、ネットワークに接続されたコンピュータ上で記録媒体に格納されたプログラムを実行することで個人に最適な入出力装置を利用した通信を可能にするという有利な効果が得られる。
【００９４】
請求項９に記載の通信装置によれば、ネットワーク上のセンサー装置からのセンサー情報を用いて個人を特定する個人特定部と、ネットワーク上の入出力装置の中から特定した個人の使用すべき装置を特定する装置特定部と、特定した装置を用いて通信を行う通信部とを有することにより、ネットワーク上の入出力装置の中から特定した個人の使用すべき装置を特定するようにしたので、通信者個人の位置に応じて自動的に選択された個人に最適な入出力装置を利用した通信を可能にするという有利な効果が得られる。
【００９５】
請求項１０に記載の通信装置によれば、ネットワーク上のセンサー装置からのセンサー情報を用いて個人を特定する個人特定部と、特定した個人の状態を認識する状態認識部と、ネットワーク上の入出力装置の中から特定した個人の使用すべき装置を特定する装置特定部と、特定した装置を用いて通信を行う通信部とを有することにより、特定した個人の状態を認識し、ネットワーク上の入出力装置の中から特定した個人の使用すべき装置を特定するようにしたので、個人の位置と状態に応じて自動的に選択された個人に最適な入出力装置を利用した通信を可能にするという有利な効果が得られる。
【００９６】
請求項１１に記載の通信装置によれば、ネットワーク上の呼び出し装置に呼び出し要求を出力する呼出要求部と、ネットワーク上のセンサー装置からのセンサー情報を用いて個人の使用すべき入出力装置を特定する装置特定部と、特定した入出力装置を用いて通信を行う通信部とを有することにより、ネットワーク上の呼び出し装置に呼び出し要求を出力するようにしたので、未知のユーザに対する着信に対しても個人の位置に応じて自動的に選択された個人に最適な入出力装置を利用した通信を可能にするという有利な効果が得られる。
【００９７】
請求項１２に記載の通信装置によれば、請求項９乃至１１のいずれか１に記載の通信装置において、通信部は、通信データが音声データの場合に音声データを文書データへ変換する音声文書変換部を有することにより、個人の位置や状態を考慮すると音声よりも文書による通信が望ましい場合においても、自動的に最適な入出力装置を利用した通信を可能にするという有利な効果が得られる。
【００９８】
請求項１３に記載の通信装置によれば、請求項９乃至１１のいずれか１に記載の通信装置において、通信部は、通信データが文書データの場合に文書データを音声データへ変換する文書音声変換部を有することにより、個人の位置や状態を考慮すると文書よりも音声による通信が望ましい場合においても、自動的に最適な入出力装置を利用した通信を可能にするという有利な効果が得られる。
【００９９】
請求項１４に記載の通信装置によれば、請求項９乃至１３のいずれか１に記載の通信装置において、装置特定部は、個人の使用すべき入出力装置を特定できない場合にネットワーク上のサーバーに特定した個人の利用可能な入出力装置情報を問い合わせる外部問い合わせ部を有することにより、ユーザが自ネットワーク以外に移動した場合においても、個人に最適な入出力装置を利用した通信を可能にするという有利な効果が得られる。
【０１００】
請求項１５に記載の通信装置によれば、請求項９、１０、１２、１３または１４に記載の通信装置において、個人特定部は、ネットワーク上のセンサー装置からのセンサー情報の代わりにネットワーク上のＩＤ読み出し装置からのＩＤ情報を使用して個人を特定することにより、より確実に個人を特定した上で個人に最適な入出力装置を利用した通信を可能にするという有利な効果が得られる。
【図面の簡単な説明】
【図１】本発明の実施の形態１による通信装置を示すブロック図
【図２】図１の通信装置を適用した通信システムを示す構成図
【図３】個人の使用する装置が特定されるまでの動作を示すフローチャート
【図４】通信開始が要求されてから通話が切断されるまでの動作を示すフローチャート
【図５】ステップＳ１〜Ｓ１５の処理を視覚的に表現した説明図
【図６】本発明の実施の形態２による通信装置を示すブロック図
【図７】図６の通信装置の動作を示すフローチャート
【図８】従来のＳＩＰに基づくＶｏＩＰ方法を用いた通信システムの一例を示す構成図
【図９】ユーザＢが自分のネットワーク上の位置を登録する手順を示すフローチャート
【図１０】ユーザＡがｔｅｒｍ１を用いてユーザＢへ通話を行う手順を示すフローチャート
【符号の説明】
１、１Ａ  通信装置
１００  個人特定部
１０１  画像入力部
１０２  顔画像抽出部
１０３  特徴点抽出部
１０４  補正部
１０５  基準顔モデル部
１０６  判定部
１０７  個人データベース部
１０８  状態認識部
１０９、６０１  装置特定部
１１０、６０３  特定部
１１１、６０４  装置データベース部
１１２、６０５  メモリ部
１１３、６０６  通信部
１１４、６０７  ルーティング部
１１５、６０９  ＳＩＰ部
１１６、６０８  ＲＴＰ部
１１７  音声／文書変換部
１１８  外部問合部
１１９、６１０  ＷＡＮ
１２０、６１１  ＬＡＮ
６００  呼出要求部
６０２  通話音声レベル比較部
【図１】
2004235950.tif 000004
【図２】
2004235950.tif 000005
【図３】
2004235950.tif 000006
【図４】
2004235950.tif 000007
【図５】
2004235950.tif 000008
【図６】
2004235950.tif 000009
【図７】
2004235950.tif 000010
【図８】
2004235950.tif 000011
【図９】
2004235950.tif 000012
【図１０】
2004235950.tif 000013